(57)【要約】【課題】      スタッキングコネクタの脱嵌合を防止し、またグランド接続をも可能とする固定構造を提供する。【解決手段】  スタッキングコネクタを介して嵌合されたキーボード側基板、フレキシブル基板を挟持するとともに、キーボード側基板、フレキシブル基板のそれぞれの表面に設けられたグランド面を介してグランド接続する導電性のクリップ部材を備える。また、このスタッキングコネクタの固定構造は、サブ基板を固着可能なフレーム部材を有し、フレーム部材は、クリップ部材の脱落を防止する脱落抑止壁が形成されている。【選択図】  図３
2006092795.tif 000002
【特許請求の範囲】
【請求項１】
嵌合した状態のスタッキングコネクタの固定構造において、
前記スタッキングコネクタを介して嵌合された第１、第２の基板を挟持するとともに、前記第１、第２の基板に設けられたグランド面を接続する挟持部材を備えること、
を特徴とするスタッキングコネクタの固定構造。
【請求項２】
請求項１に記載のスタッキングコネクタの固定構造において、
前記挟持部材は導電性のクリップ部材であって、
前記クリップ部材が当接するグランド面と前記クリップ部材を介して、前記第１、第２の基板がグランド接続されること、
を特徴とするスタッキングコネクタの固定構造。
【請求項３】
請求項１又は２に記載のスタッキングコネクタの固定構造において、更に、
組立完了状態において、前記挟持部材の脱落を抑止可能な位置に配設される脱落抑止壁を備えること、
を特徴とするスタッキングコネクタの固定構造。
【請求項４】
請求項１又は２に記載のスタッキングコネクタの固定構造において、更に、
第３の基板を保持可能なフレーム部材を備え、
前記フレーム部材は、組立完了状態において、前記挟持部材の脱落を抑止可能な位置に固定される脱落抑止壁を有すること、
を特徴とするスタッキングコネクタの固定構造。
【請求項５】
請求項３又は４に記載のスタッキングコネクタの固定構造において、更に、
前記脱落抑止壁又はフレーム部材と、前記挟持部材との間には、所定のクリアランスが設けられていること、
を特徴とするスタッキングコネクタの固定構造。
【請求項６】
請求項３又は４に記載のスタッキングコネクタの固定構造において、更に、
前記脱落抑止壁又はフレーム部材と、前記挟持部材との間に、スペーサ部材を備えること、
を特徴とするスタッキングコネクタの固定構造。
【請求項７】
請求項１乃至６いずれか一に記載のスタッキングコネクタの固定構造を有することを特徴とする電子機器。
【請求項８】
請求項１乃至６いずれか一に記載のスタッキングコネクタの固定構造を有し、
前記第１の基板は、本体側の基板であり、
前記第２の基板は、前記第１の基板と液晶表示装置用基板とを電気的に接続する可撓性のある基板であり、
ヒンジ構造を介して前記液晶表示装置を回動して使用されること、
を特徴とする電子機器。
【発明の詳細な説明】
【技術分野】
【０００１】
本発明は、スタッキングコネクタの脱嵌合を防止するための固定構造、及び、このスタッキングコネクタの固定構造を備えた電子機器に関する。
【背景技術】
【０００２】
従来のスタッキングコネクタの固定構造として、衝撃、振動などによる抜けを防止するために、装置筐体でスタッキングコネクタを押えるようにしたものや筐体内側の必要箇所にクッション部材を設けスタッキングコネクタを押えるようにしたものが知られている。また、同じく抜けを防止するための手段を備えたものとして、特開２００１−１２６８１０号公報には、嵌合状態で掛合して脱嵌合方向への運動を押止するロック機構を設けたスタッキングコネクタが紹介されている。
【０００３】
【特許文献１】特開２００１−１２６８１０号公報
【発明の開示】
【発明が解決しようとする課題】
【０００４】
しかしながら、前者の方式では、上記押え構造のために実装に使えない無駄な空間が生じてしまうことになる。例えば、クッション部材を用いる場合、スタッキングコネクタの上部がクッションのみで埋まってしまうことになる。また、後者の方式では、特別なスタッキングコネクタを用意する必要があるほか、後述するグランド接続を別途行わねばならないという難点がある。
【０００５】
スタッキングコネクタを用い、液晶側基板とキーボード側基板との間にフレキシブル基板を介在させて折畳み形式の携帯電話等の無線通信機器を構成することができる。このとき、フレキシブル基板が浮いた金属物となってアンテナ特性に悪影響を及ぼさないように、併せてグランド接続することが行われている。一般に、このグランド接続は、フレキシブル基板の半田付け、又は、導電性テープ等を利用して行われているが、作業コスト、作業性の観点から望ましいものとはいえない。また、導電性テープにおいては、再利用できないという問題点もある。
【０００６】
本発明は、上記した事情に鑑みてなされたものであって、スタッキングコネクタの脱嵌合を防止可能であるとともに、グランド接続をも可能とする固定構造、及び、このようなスタッキングコネクタの固定構造を備えた電子機器を提供することを目的とする。
【課題を解決するための手段】
【０００７】
前記課題を解決するための手段を提供する本発明の第１の視点によれば、スタッキングコネクタを介して嵌合された第１、第２の基板を挟持するとともに、前記第１、第２の基板に設けられたグランド面を接続する挟持部材を備え、嵌合状態を保持できるスタッキングコネクタの固定構造が提供される。
【０００８】
また本発明の第２の視点によれば、スタッキングコネクタを介して嵌合された第１、第２の基板を挟持する導電性のクリップ部材を備え、前記第１、第２の基板が、前記クリップ部材が当接するグランド面と前記クリップ部材を介して、グランド接続されること、を特徴とするスタッキングコネクタの固定構造が提供される。また、このスタッキングコネクタの固定構造において、前記第１、第２の基板に、切欠部や、前記クリップ部材の挟持部の形状に適合する凹部を設けて、前記クリップ部材の組み付けを容易化するとともに、前記クリップ部材の摺動を抑止できるように構成してもよい。
【０００９】
また、このスタッキングコネクタの固定構造は、より好ましくは、前記クリップ部材の脱落を抑止可能な位置に配設されて、前記クリップ部材の脱落を抑止する脱落抑止壁を備える。例えば、この脱落抑止壁は、前記クリップ部材の非開口側に所定クリアランスを空けて配設される。
【発明の効果】
【００１０】
本発明によれば、簡便な構成・作業にてスタッキングコネクタの抜けを確実に防止できることはもちろんとして、実装効率、作業性、アンテナ特性を改善し、また静電気耐圧を向上させることができる。また、クリップ部材を用いた場合には、取り回しが簡単で再利用も可能となっている。
【発明を実施するための最良の形態】
【００１１】
続いて、本発明を折畳み型の携帯電話機に適用した最良の実施の形態について、図面を参照して詳細に説明する。図１は、本発明に係るスタッキングコネクタの固定構造が採用された折畳み型の携帯電話機の分解斜視図であり、図２は、そのキーボード側の縦断面図であり、図３は、図２のキーボード側のスタッキングコネクタの固定構造の拡大図であり、図４は、スタッキングコネクタの固定構造の組立方法を説明するための分解斜視図である。
【００１２】
まず、図１を参照して、本発明に係るスタッキングコネクタの固定構造が採用された折畳み型の携帯電話機の概略構成について説明する。図１の折畳み型の携帯電話機は、大きくキーボード側基板４を収納するフロントケース１２、リアカバー１３とからなるボタン操作部と、液晶側基板１１を収納するフロントケース１４、リアカバー１５とからなる液晶表示部とから構成される。
【００１３】
更に、キーボード側基板４と、液晶側基板１１との間には、フレキシブル基板（フレキシブル・プリンテッド・サーキット；ＦＰＣともいう）１が配設される。フレキシブル基板１は、その一端に、キーボード側基板４のスタッキングコネクタ２ｂに嵌合するスタッキングコネクタ２ａが固着され、他の一端に、液晶側基板１１のスタッキングコネクタ２ｄに嵌合するスタッキングコネクタ２ｃが固着され、これらが可撓性のある帯状部材で連結されてなっている。また、キーボード側基板４には、サブ基板７が電気的に接続され、フレーム８を介してキーボード側基板４に固定されている。
【００１４】
続いて、図２、図３を参照して、図１にも表れているフレキシブル基板１とキーボード側基板４とを接続するスタッキングコネクタの固定構造について説明する。１対のスタッキングコネクタ２ａ、２ｂの端子部を嵌合させた状態で、キーボード側基板４とフレキシブル基板１を共に挟み込むようにクリップ１０が装着される（図４参照）。クリップ１０は、導電性・バネ弾性を有する金属部材であり、所定の幅を有する上下の挟持部と非開口部とからなる略コの字型をしている。
【００１５】
一方、サブ基板７を固定するフレーム８には、クリップ１０の飛び出し、脱落を抑える爪状突起部からなる脱落抑止壁９が設けられ、クリップ１０が脱落抑止壁９側に摺動した場合にクリップ１０の側端部（非開口部）が当接し脱落を抑止できるよう構成されている。また、フレーム８及び脱落抑止壁９とクリップ１０との間には、それぞれ所定のクリアランスＣＬＲが設けられ、外力や落下させたときの衝撃、振動等がスタッキングコネクタ２ａ、２ｂに伝わらないよう構成されている。従って、外力・衝撃・振動等によってクリップ１０が摺動してしまうこともなく、また、抜けてしまうこともないようになっている。
【００１６】
更に、フレキシブル基板１の上面のクリップ１０が当接する領域には、グランド面３が設けられ、同様に、キーボード側基板４の下面のクリップ１０が当接する領域には、グランド面６が設けられ、クリップ１０を装着することで、グランド接続も行われるようになっている。
【００１７】
続いて、図１乃至図３に加えて、図４を参照して、スタッキングコネクタの固定構造の組立手順について説明する。まず、キーボード側基板４のスタッキングコネクタ２ｂにフレキシブル基板１のスタッキングコネクタ２ａを嵌め込む。図４は、スタッキングコネクタ２ａ、２ｂの嵌合された状態を表した図であり、ここで、キーボード側基板４に位置決め用に設けられた切欠部５に位置を合わせて、クリップ１０をフレキシブル基板１及びキーボード側基板４を挟み込むように取り付ける。
【００１８】
後は、図１に示したように、キーボード側基板４と電気的に接続されたサブ基板７をフレーム８に固定した後、フレーム８をキーボード側基板４のスタッキングコネクタ２ａの上部に係合する。この状態でフレキシブル基板１のもう一方のスタッキングコネクタ２ｃを液晶側基板１１のスタッキングコネクタ２ｄに嵌め込み、これら電気的に接続された基板のユニットをフロントケース１２、１４に組み込み、リアカバー１３、１５を嵌合することで、組み付け作業が完了する。
【００１９】
以上の説明からも明らかなように、クリップ１０でフレキシブル基板１とキーボード側基板４を挟み込むことにより、スタッキングコネクタ２ａ、２ｂの抜けを防止することが可能となっているとともに、フレキシブル基板１とキーボード側基板４のグランド面を導電性のあるクリップ１０で強く接続することで、スタッキングコネクタの脱落を抑止するとともにアンテナ特性の改善及び静電気耐圧を向上させることが可能となっている。
【００２０】
また上記実施の形態で示した構成は、上記に付随して、従来の半田付けや導電性テープ等を利用してグランド接続を行う場合に比べて、作業性を向上させることができるほか、再利用が困難であったという問題点も解消されている。また上記実施の形態で示した構成によれば、スタッキングコネクタの上部にフレームを利用して実装スペースを確保可能となっているため、実装効率を向上させることも可能となっている。
【００２１】
以上本発明を携帯電話機に適用した実施の形態を説明したが、本発明は、パーソナルコンピュータ、ＰＤＡ（Ｐｅｒｓｏｎａｌ  Ｄｉｇｉｔａｌ  Ａｓｓｉｓｔａｎｔ）は勿論、その他スタッキングコネクタを用いて複数の基板（基板の種類は問わない）を接続する構成を含んだ電子機器に遍く適用可能である。また、本発明の特徴に鑑みれば、フレキシブル基板を他の基板（剛性基板、可撓性のある基板とを問わない）と接続するスタッキングコネクタの固定構造により好ましく適用可能であるといえる。
【００２２】
また上記した実施の形態の説明では、作業性を考慮して、キーボード側基板４の端部に切欠部５を設けた構成を採用しているが、その他クリップ１０に適合するような凹部を設けたり、フレキシブル基板１側に同様の切欠部、凹部、溝、印刷パターンを設けたりしてもよい。また作業性に影響が少ないと認められる場合には、これらのマーキングを省略しても良いことは勿論である。また、クリップの先端がこれら凹部、溝等に嵌まり込むようにし、これらマーキングに、クリップの抜け止め、摺動防止の機能を持たせるようにしても良い。
【００２３】
また上記した実施の形態の説明では、フレーム８とクリップ１０との間に、クリアランスを設けた例を挙げて説明したが、上記クリアランスはスタッキングコネクタの固定構造が用いられる機器に応じて設定され、場合によっては０値を採ることができる。また、上記フレーム８とクリップ１０との間に、スペーサ部材（好ましくはクッション性のある素材等を用いる）を介在させる変形を施すこともできる。
【図面の簡単な説明】
【００２４】
【図１】本発明の一実施の形態に係る携帯電話機の分解斜視図である。
【図２】本発明の一実施の形態に係る携帯電話機のキーボード側の縦断面図である。
【図３】図２のキーボード側のスタッキングコネクタの固定構造の拡大図である。
【図４】スタッキングコネクタの固定構造の組立方法を説明するための分解斜視図である。
【符号の説明】
【００２５】
１  フレキシブル基板
２ａ、２ｂ  スタッキングコネクタ（キーボード側基板側）
２ｃ、２ｄ  スタッキングコネクタ（液晶側基板側）
３、６  グランド面
４  キーボード側基板
５  切欠部
７  サブ基板
８  フレーム
９  脱落抑止壁
１０  クリップ
１１  液晶側基板
１２、１４  フロントケース
１３、１５  リアカバー
【図１】
2006092795.tif 000003
【図２】
2006092795.tif 000004
【図３】
2006092795.tif 000005
【図４】
2006092795.tif 000006